(57)【特許請求の範囲】
【請求項１】
長尺板状の実装基板の表面に１乃至複数個の発光ダイオードが実装されて成る光源部、及び透光性を有する材料から成り前記光源部を覆う長尺箱状のカバーを有するＬＥＤユニットと、前記ＬＥＤユニットが取付けられる取付板と、前記取付板を介して前記ＬＥＤユニットを保持する器具本体とを備え、前記カバーは、前記光源部の長手方向における両端部の少なくとも一部を覆う位置まで形成され、前記器具本体には、前記ＬＥＤユニットのうち最も外側に位置する前記ＬＥＤユニットと対向する部位に、前記光源部から発せられる光を反射する反射面が形成され、前記取付板には、前記ＬＥＤユニットのうち前記取付板の中心部に最も近い２つの前記ＬＥＤユニットに挟まれる形で設けられて前記光源部から発せられる光を反射する傾斜面を有する反射部が形成され、前記反射面と水平面との間で為す第１の傾斜角が、前記反射部の傾斜面と水平面との間で為す第２の傾斜角よりも小さく、
前記取付板における前記反射部と前記ＬＥＤユニットとの間には第１の平坦面が形成され、前記取付板における前記反射面と前記ＬＥＤユニットとの間には第２の平坦面が形成され、前記第２の平坦面は、その短手方向における幅寸法が前記第１の平坦面の短手方向における幅寸法よりも大きくなるように形成されることを特徴とする照明器具。
【発明の詳細な説明】
【技術分野】
【０００１】
本発明は、発光ダイオードを光源とするＬＥＤユニットを用いた照明器具に関する。
【背景技術】
【０００２】
従来から、天井下地に吊下された吊りボルトの下端部にハンガーを介して保持された天井バーが、天井下地に沿った面内において略平行して複数本設けられ、隣接して並設された一対の天井バー間に天井パネル等が設けられたシステム天井が知られている。また、この種のシステム天井に用いるシステム天井用照明器具が知られており、例えば特許文献１に開示されている。
【０００３】
特許文献１に記載のシステム天井用照明器具は、一対の天井バーの頭部間に架設される天井バーの長手方向に長い矩形枠状の本体枠と、本体枠の下面に形成された取付ねじ孔に螺合する取付ねじによって本体枠の下面側に取付けられる反射板とを備える。照明器具に設けられたランプは、直管型の蛍光灯であって、天井バーの長手方向に対向して設けられる２個１組のソケット間に保持される。ソケットは、本体枠の長手方向の両端部における下面に形成されたソケット取付部に着脱自在に取付けられる。また、ソケットに接続されることによってランプを点灯させる安定器と、安定器と外部の電源との間に介在し安定器に電源を供給する端子台とを収納した点灯装置が、本体枠の上面側に取付けられる。
【先行技術文献】
【特許文献】
【０００４】
【特許文献１】特開２００５−１００８６５号公報
【発明の概要】
【発明が解決しようとする課題】
【０００５】
ところで、近年では、発光ダイオード（ＬＥＤチップ）から成る複数の光源を直線状に配列して構成されるＬＥＤユニットを従来の蛍光灯に代えて用いることが提案されている。このＬＥＤユニット用照明器具の器具本体は、既存の器具本体と交換して用いることから、既存の器具本体と同寸法で形成されるのが望ましく、これに伴ってＬＥＤユニットの寸法も既存の直管型の蛍光灯の寸法に合わせて規格化されることが考えられる。
【０００６】
しかしながら、発光ダイオードを光源とするＬＥＤユニットは、既存の蛍光灯よりも指向性が強く、単に既存の器具本体及び蛍光灯をＬＥＤユニット用の器具本体及びＬＥＤユニットに交換しただけでは、照明空間の広がりに乏しいという問題があった。
【０００７】
本発明は、上記の点に鑑みて為されたもので、光源としてＬＥＤユニットを用いても照明空間を広げることのできる照明器具を提供することを目的とする。
【課題を解決するための手段】
【０００８】
本発明の照明器具は、長尺板状の実装基板の表面に１乃至複数個の発光ダイオードが実装されて成る光源部、及び透光性を有する材料から成り前記光源部を覆う長尺箱状のカバーを有するＬＥＤユニットと、前記ＬＥＤユニットが取付けられる取付板と、前記取付板を介して前記ＬＥＤユニットを保持する器具本体とを備え、前記カバーは、前記光源部の長手方向における両端部の少なくとも一部を覆う位置まで形成され、前記器具本体には、前記ＬＥＤユニットのうち最も外側に位置する前記ＬＥＤユニットと対向する部位に、前記光源部から発せられる光を反射する反射面が形成され、前記取付板には、前記ＬＥＤユニットのうち前記取付板の中心部に最も近い２つの前記ＬＥＤユニットに挟まれる形で設けられて前記光源部から発せられる光を反射する傾斜面を有する反射部が形成され、前記反射面と水平面との間で為す第１の傾斜角が、前記反射部の傾斜面と水平面との間で為す第２の傾斜角よりも小さく、前記取付板における前記反射部と前記ＬＥＤユニットとの間には第１の平坦面が形成され、前記取付板における前記反射面と前記ＬＥＤユニットとの間には第２の平坦面が形成され、前記第２の平坦面は、その短手方向における幅寸法が前記第１の平坦面の短手方向における幅寸法よりも大きくなるように形成されることを特徴とする。
【発明の効果】
【００１０】
本発明は、光源としてＬＥＤユニットを用いても照明空間を広げることができるという効果を奏する。
【図面の簡単な説明】
【００１１】
【図１】本発明に係る照明器具の実施形態を示す要部断面図である。
【図２】同上の照明器具の分解斜視図である。
【図３】同上の照明器具におけるＬＥＤユニットを示す図で、（ａ）は断面図で、（ｂ）は全体斜視図である。
【図４】（ａ）は同上の照明器具における器具本体の平面図で、（ｂ）は同上の照明器具における取付板の平面図である。
【図５】同上の照明器具の他の構成である４灯タイプの照明器具の外観を示す図で、（ａ）は平面図で、（ｂ）は斜視図である。
【発明を実施するための形態】
【００１２】
以下、本発明に係る照明器具の実施形態について図面を用いて説明する。なお、以下の説明では、図２に示す矢印により上下左右方向及び前後方向を定めるものとする。本実施形態は、図１，２に示すように、複数（図示では８個）のＬＥＤユニット１と、取付板５を介して各ＬＥＤユニット１を保持する器具本体２とで構成される。
【００１３】
ＬＥＤユニット１は、図３（ａ），（ｂ）に示すように、光源部１０と、放熱部材１１と、絶縁部材１２と、取付部材１３と、カバー１４とで構成される。
【００１４】
光源部１０は、絶縁材料（例えば、セラミック）によって長尺の板状に形成された実装基板１０Ａと、実装基板１０Ａの下面に実装される複数個の青色ＬＥＤチップ１０Ｂ（発光ダイオード）と、実装基板１０Ａの下面に形成される導電体（図示せず）とを有する。各ＬＥＤチップ１０Ｂは、実装基板１０Ａ下面の短手方向（左右方向）の中央部において、長手方向（前後方向）に沿って等間隔且つ直線状に並べて実装される。そして、各ＬＥＤチップ１０Ｂは、透光性を有し且つ黄色蛍光体が混合された合成樹脂製の封止部材１０Ｃで封止されている。したがって、各ＬＥＤチップ１０Ｂから放射される青色光の一部が黄色蛍光体で波長変換され、波長変換された黄色光と波長変換されなかった青色光とが混ざることにより、光源部１０から放射される光が全体として白色光となる。
【００１５】
放熱部材１１は、長尺の平板状に形成され、絶縁部材１２を介して光源部１０が載置される主片１１Ａと、主片１１Ａの左右両端より厚み方向（上下方向）に延びる１対の側片１１Ｂとが熱伝導度の高い材料（例えば、アルミニウム）によって一体に形成される。また、主片１１Ａの一方の面（光源部１０が載置される面。以下、載置面と呼ぶ）には、光源部１０に近付く向きに突出する突条部（図示せず）が長手方向（前後方向）に沿って突設されている。
【００１６】
絶縁部材１２は、放熱部材１１の主片１１Ａと光源部１０との間に介装される主部１２Ａと、主部１２Ａの短手方向（左右方向）の両端より突出する１対の反射部１２Ｂとが合成樹脂成形体として一体に形成されて成る。各反射部１２Ｂは、上端から下端に向かうに従って外側（左右両側）に開くように傾斜し、その傾斜面が反射面となって光源部１０から放射される光を下方へ反射する。また、絶縁部材１２の主部１２Ａの中央部には、放熱部材１１の主片１１Ａが載置された状態において突条部が挿通される長孔状の挿通孔（図示せず）が厚み方向（上下方向）に貫通して設けられている。
【００１７】
取付部材１３は、鋼板などの金属板を曲げ加工することで角樋状に形成され、長尺矩形状の底板１３Ａと、底板１３Ａの長手方向（前後方向）に沿った両端より立ち下がる１対の側板１３Ｂとから成り、放熱部材１１に固定される。取付部材１３の底板１３Ａには、長手方向の中央部を挟んで２つずつ取付孔１３Ｄが設けられている。各取付孔１３Ｄは厚み方向（上下方向）に貫通して設けられており、その内周面には雌ねじ（図示せず）が形成されている。これら取付孔１３Ｄは、後述する取付板５にＬＥＤユニット１を取付ける際に用いられる。また、取付部材１３には、取付金具１３Ｃを用いてレセプタクルコネクタ１５が取付けられている。
【００１８】
レセプタクルコネクタ１５は、光源部１０の導電体と電気的に接続された電線（図示せず）が接続される接続端子部１５Ａと、プラグコネクタ（図示せず）が差し込まれるコネクタ接続部１５Ｂとを有する。プラグコネクタは電線を介して点灯装置Ａ１（図４（ａ）参照）に接続されており、プラグコネクタがレセプタクルコネクタ１５に挿抜自在に差込接続される。すなわち、プラグコネクタとレセプタクルコネクタ１５が差込接続されることで点灯装置Ａ１と光源部１０とが電気的に接続され、点灯装置Ａ１から光源部１０に給電されて光源部１０が発光（点灯）する。
【００１９】
カバー１４は、アクリル樹脂やポリカーボネート樹脂などの透光性を有する合成樹脂材料により、底部１４Ａと、底部１４Ａの周囲を囲む側壁部１４Ｂを有する長尺の矩形箱状に形成されており、光源部１０及び放熱部材１１及び絶縁部材１２を覆う。また、長手方向（前後方向）に沿った１対の側壁部１４Ｂには、放熱部材１１の側片１１Ｂに形成されている複数の係合突起１１Ｃが係脱自在に係合する複数の係合凹部１４Ｃがそれぞれ形成されている。
【００２０】
次に、ＬＥＤユニット１の組立手順を説明する。まず、光源部１０が絶縁部材１２の主部１２Ａの載置面に載置され、接着やかしめなどの適当な方法によって絶縁部材１２と結合される。続いて、光源部１０と結合された絶縁部材１２が放熱部材１１の主片１１Ａに取付けられる。そして、取付金具１３Ｃによってレセプタクルコネクタ１５が取付けられた取付部材１３が放熱部材１１とねじ止めにより固定される。最後に、底部１４Ａを光源部１０に対向させる向きでカバー１４が放熱部材１１に被せられ、側壁部１４Ｂの係合凹部１４Ｃに側片１１Ｂの係合突起１１Ｃが係合し、カバー１４が放熱部材１１に結合されることでＬＥＤユニット１が完成する。
【００２１】
なお、ＬＥＤユニット１の完成状態においては、放熱部材１１の突条部が絶縁部材１２の挿通孔を介して実装基板１０Ａの上面に当接する。このため、光源部１の発光中に発生する熱は、実装基板１０Ａから突条部を通じて放熱部材１１に伝導されることで効率的に放熱されるようになっている。
【００２２】
器具本体２は、金属板（例えば、クロムフリーの亜鉛鋼板）から形成され、図２に示すように、矩形板状の主部３と、主部３に取付けられる矩形枠状の枠部４とで構成される。主部３は、図２，４（ａ）に示すように、矩形板状の主板３０と、主板３０の四辺からそれぞれ下向きに突出する矩形状の側板３１とを一体に形成して成る。主板３０の中心部を挟んだ前後両側には、それぞれ電源線が接続される電源端子台３２と、信号線が接続される調光端子台３３とが設けられている。また、主板３０における電源端子台３２と調光端子台３３との間には、天井（図示せず）から吊り下げられる吊ボルト（図示せず）が挿入されるダルマ穴形状の挿入孔３０Ｃと、長円形状の挿入孔３０Ｄとが厚み方向（上下方向）に貫通して設けられている。これら挿入孔３０Ｃ，３０Ｄに吊ボルトを挿入して係止することで、主部３が天井から吊持される。
【００２３】
主板３０の四隅には、枠部４の四隅に設けられる組立孔（図示せず）と対向する形で組立孔３０Ａが厚み方向（上下方向）に貫通して設けられている。したがって、主板３０の各組立孔３０Ａと枠部４の各組立孔とを重ね、組立ねじ（図示せず）によってねじ止めすることで、主部３と枠部４とが結合され、器具本体２が完成する。また、主板３０における各組立孔３０Ａの近傍には、後述する取付板５の取付孔５０とそれぞれ対向する形で取付金具３４が設けられている。各取付金具３４は、主部３と枠部４とを結合した状態で枠部４の中空部分の四隅から下向きに突出する形で設けられている。また、各取付金具３４の下面には、図示しないが取付ねじＳ１が締め付けられるねじ孔が設けられている。
【００２４】
枠部４の前後両端部には、図２に示すように、各端縁をそれぞれ内側に折り曲げることで中空の直方体状の前壁部４０及び後壁部４１が形成されている。また、枠部４の左右両端部には、図２に示すように、各端縁をそれぞれ内側に折り曲げることで左壁部４２及び右壁部４３が形成されている。ここで、左壁部４２の右側面は右斜め上方に傾斜しており、右壁部４３の左側面は左斜め上方に傾斜している。これら左右壁部４２，４３の傾斜面は、光源部１０から発せられる光を反射する反射面４２Ａ，４３Ａとなっている。
【００２５】
取付板５は、図４（ｂ）に示すように、器具本体２と同じく矩形板状の金属板から成り、その四隅には平面視円形状の取付孔５０が貫設されている。ここで、器具本体２の主部３には、上述のように各取付孔５０と対応する取付金具３４が設けられている。したがって、各取付孔５０と各取付金具３４のねじ孔とが一致するように取付板５を主部３に重ね、これら取付孔５０及び取付金具３４のねじ孔に取付ねじＳ１を挿入して締め付けることで、取付板５が主部３に取付固定されるようになっている。
【００２６】
取付板５の左右方向における中央部には、下向きに突出する断面三角形状の反射部５１が上下方向に沿って曲げ加工により形成されている。反射部５１は、その傾斜面５１Ａにより光源部１０から発せられる光を反射させて下方へと照射する。これにより、器具本体２の下側の照明空間における照度を高めることができる。
【００２７】
取付板５の反射部５１を挟んだ左右両側には、１対のユニット用取付孔５２を１組として、それぞれ４組のユニット用取付孔５２が左右方向に沿って設けられている。各組のユニット用取付孔５２は、厚み方向（上下方向）に貫通して設けられており、且つＬＥＤユニット１の取付部材１３の各取付孔１３Ｄと重ね合わせることができるように、前後方向に所定の間隔を空けて設けられている。また、各組のユニット用取付孔５２のうち前側のユニット用取付孔５２の前方には、取付金具１３Ｃ及びレセプタクルコネクタ１５を挿通させるための略矩形状の挿通孔５３が厚み方向に貫通して設けられている。
【００２８】
以下、ＬＥＤユニット１を取付板５に取付ける手順について説明する。先ず、ＬＥＤユニット１の取付金具１３Ｃ及びレセプタクルコネクタ１５を取付板５の何れかの組の挿通孔５３に挿通させる。その後、当該組のユニット用取付孔５２とＬＥＤユニット１の取付孔１３Ｄとを重ね合わせて組立ねじ（図示せず）によってねじ止めすることで、ＬＥＤユニット１が取付板５に取付けられる。
【００２９】
ところで、本実施形態では、従来の蛍光灯よりもＬＥＤユニット１の方が指向性が強いことに鑑みて、図１に示すように、光源部１０を透光性を有する材料から成るカバー１４で覆っている。これにより、光源部１０から発せられる光の一部をカバー１４で屈折させることにより、ＬＥＤユニット１から光を拡散して出射できるようにしている。また、光源部１０から発せられる光の一部は、カバー１４の内壁面で反射して外部へと出射するため、より効果的にＬＥＤユニット１から光を拡散して出射できるようにしている。
【００３０】
更に、本実施形態では、図１に示すように、枠部４の右壁部４３（左壁部４２）の反射面４３Ａ（反射面４２Ａ）が水平面との間で為す第１の傾斜角θ１を、反射部５１の傾斜面５１Ａが水平面との間で為す第２の傾斜角θ２よりも小さくしている。これにより、反射面４２Ａ，４３Ａで反射する光は器具本体２の下方へと出射されるのに対して、反射面４２Ａ，４３Ａで反射しない光は器具本体２の外方（左方又は右方）へと出射されるので、第２の傾斜角θ２を小さくすることで照明空間を広げることができる。なお、ＬＥＤユニット１の反射部１２Ｂが水平面との間で為す第３の傾斜角θ３は、第１の傾斜角θ１と略等しくするのが望ましい。
【００３１】
ところで、光源部１０から発せられる光の一部は、カバー１４の内壁面で反射を繰り返すことで上方へと導光される。この光が反射面４２Ａ，４３Ａで反射した場合、反射面４２Ａ，４３Ａが傾斜していることから反射部位よりも外方へと光が出射され、反射部位の下方の照度が低下する虞がある。
【００３２】
そこで、本実施形態では、取付板５において、反射部５１と、反射部５１の隣に位置するＬＥＤユニット１との間に、図１に示すようにＬＥＤユニット１から出射する光を下方へと反射する第１の平坦面５４を設けている。また、取付板５において、反射面４３Ａ（反射面４２Ａ）と、反射面４３Ａ（反射面４２Ａ）の隣に位置するＬＥＤユニット１との間に、図１に示すようにＬＥＤユニット１から出射する光を下方へと反射する第２の平坦面５５を設けている。
【００３３】
そして、本実施形態では、第２の平坦面５５の短手方向（左右方向）の幅寸法Ｄ２が、第１の平坦面５４の短手方向の幅寸法Ｄ１よりも大きくなるように構成している。これにより、光源部１０からカバー１４を介して上方へと導光された光が各平坦面５４，５５で反射し、反射面４２Ａ，４３Ａで反射する場合と比較して反射部位の下方へと光が出射されるので、反射部位の下方の照度を確保して均斉度を向上させることができる。
【００３４】
ところで、取付板５の下面には、枠部４の反射面４２Ａ，４３Ａと同様に、白色塗料を塗装することで反射面を形成するのが望ましい。この場合、枠部４との色合いを統一しつつ容易に反射面を形成することができる。
【００３５】
なお、本実施形態は、８個のＬＥＤユニット１を用いた８灯タイプの照明器具であるが、例えば図５（ａ），（ｂ）に示すように、４個のＬＥＤユニット１を用いた４灯タイプの照明器具として構成してもよい。この構成においても、上記と同様の効果を奏することができる。
【符号の説明】
【００３６】
１  ＬＥＤユニット
１０  光源部
１４  カバー
２  器具本体
４３Ａ  反射面
５  取付板
５１  反射部
５１Ａ  傾斜面
５４  第１の平坦面
５５  第２の平坦面
θ１  第１の傾斜角
θ２  第２の傾斜角
【図１】
0005861092.tif 000002
【図２】
0005861092.tif 000003
【図３】
0005861092.tif 000004
【図４】
0005861092.tif 000005
【図５】
0005861092.tif 000006